(57)【特許請求の範囲】
【請求項１】
ハット形断面を有し、太陽電池パネルの辺長と概ね等しい長さで、その長手方向に高さ勾配を有する部材より成り、その上底面に太陽電池パネルが取り付けられ、両側のフランジ面が屋根に取り付けられるように形成された太陽電池パネルの屋根取付け用架台。
【請求項２】
請求項１に記載の太陽電池パネルの屋根取付け用架台を、傾斜屋根の勾配に沿って、前記ハット形断面の高さが高い側を傾斜屋根の勾配の下方に向けて直列に配列し、この取付け用架台の列を概ね太陽電池パネルの幅と等しい間隔で複数列形成し、これらの配列された各取付け用架台の前記フランジ面を傾斜屋根に取り付け、太陽電池パネルを、前記隣り合う列の各取付け用架台の上底面に差し渡して、一枚ずつ取り付けるようにした太陽電池パネルの屋根取付け方法。
【発明の詳細な説明】
【０００１】
【発明の属する技術分野】
この発明は、太陽電池パネルの屋根取付け用架台と、傾斜屋根への太陽電池パネルの取付け方法に関するものである。
【０００２】
【従来の技術】
近年、太陽光発電は無公害エネルギ源として奨励され、各種施設や一般住宅で自家発電用に活用され始めている。太陽光発電用の太陽電池パネルは、日照条件とスペース活用の面から屋根に設置される場合が殆どであり、切妻や入母屋等の建物では、南向きの傾斜屋根に太陽電池パネルが設置される。
【０００３】
従来、傾斜屋根に太陽電池パネルを設置する場合は、図５に示すように、傾斜屋根２１の瓦２２の上に、アングル部材２３を棟と平行に複数列配列してビスで固定し、これらのアングル部材２３に、概ね太陽電池パネル２４の幅と等しい間隔で、別のアングル部材２５をアングル部材２３と直交させて取付け、このアングル部材２５に太陽電池パネル２４の枠を取り付けている。
【０００４】
【発明が解決しようとする課題】
上述した従来の傾斜屋根への太陽電池パネルの取付け方法では、太陽電池パネルが屋根面と平行に設置されるため、設置された複数の太陽電池パネルで形成される屋根面が平板状となり、屋根の外観が瓦屋根のイメージを損なうものとなる問題がある。また、隣接する太陽電池パネルの隙間から雨水が流れ落ち、太陽電池パネル取付け用アングル部材の屋根取付け部から雨漏りしやすくなる問題もある。
【０００５】
そこで、この発明の課題は、太陽電池パネルを建物と調和させて傾斜屋根に設置でき、かつ雨漏りも防止できる太陽電池パネルの屋根取付け用架台と屋根取付け方法を提供することである。
【０００６】
【課題を解決するための手段】
上記の課題を解決するために、この発明の太陽電池パネルの屋根取付け用架台は、ハット形断面を有し、太陽電池パネルの辺長と概ね等しい長さで、その長手方向に高さ勾配を有する部材より成り、その上底面に太陽電池パネルを取り付け、両側のフランジ面を屋根に取り付けるようにした構成を採用したのである。
【０００７】
また、この発明の太陽電池パネルの屋根取付け方法は、上述した太陽電池パネルの屋根取付け用架台を、傾斜屋根の勾配に沿って、前記ハット形断面の高さが高い側を傾斜屋根の勾配の下方に向けて直列に配列し、この取付け用架台の列を概ね太陽電池パネルの幅と等しい間隔で複数列形成し、これらの配列された各取付け用架台の前記フランジ面を傾斜屋根に取り付け、太陽電池パネルを、前記隣り合う列の各取付け用架台の上底面に差し渡して、一枚ずつ取り付ける方法を採用したのである。
【０００８】
すなわち、傾斜屋根の勾配に沿って、太陽電池パネルの辺長と概ね等しい長さで、長手方向に高さ勾配を有する太陽電池パネルの屋根取付け用架台を、その高さが高い側を屋根勾配の下方に向けて直列に配列して、屋根勾配の上側に配列された取付け用架台の下端と、屋根勾配の下側に配列された取付け用架台の上端との境目で段差を生じさせ、この屋根勾配に沿った取付け用架台の列を、概ね太陽電池パネルの幅と等しい間隔で複数列形成し、隣り合う列の各取付け用架台に差し渡して、太陽電池パネルを一枚ずつ取り付けることにより、屋根勾配に沿って隣接する太陽電池パネル同士の境目に、瓦屋根のような段差を形成するようにしたのである。
【０００９】
また、太陽電池パネルの枠の外周には、通常Ｊ字形断面の取付け用フランジが設けられているため、上述した太陽電池パネルの取付け方法を採用することにより、各太陽電池パネルの屋根勾配下側の辺の前記Ｊ字形断面のフランジが、屋根勾配下側に隣接する太陽電池パネルとの隙間の上方に張り出し、この隙間に落下する雨水を受ける樋の役割を果たす。
【００１０】
【発明の実施の形態】
以下、図１乃至図４に基づき、この発明の実施形態を説明する。図１および図２は、実施形態の取付け用架台１を用いて、太陽電池パネル２を傾斜屋根３に取り付けた状態を示す。図１は外観斜視図、図２は傾斜屋根３の勾配に沿った断面図である。この取付け用架台１は長手方向に高さ勾配を有し、その高さが高い側を傾斜屋根３の勾配の下方に向けて直列に配列され、この取付け用架台１の列が概ね太陽電池パネル２の幅に等しい間隔で複数列形成されている。各太陽電池パネル２は、隣り合う列の各取付け用架台１に一枚ずつ差し渡されて、碁盤目状に設置されている。
【００１１】
前記傾斜屋根３の勾配の上側に配列された取付け用架台１の下端と、屋根勾配の下側に配列された取付け用架台１の上端との境目には段差が生じているため、屋根勾配に沿って隣接する太陽電池パネル２同士の境目には、瓦屋根のような段差が形成されている。
【００１２】
図３に示すように、前記取付け用架台１はハット形断面を有し、そのフランジ４がビス５で傾斜屋根３に固定されている。なお、各ビス５の頭部は、防水のためにシリコンコーキング材６で覆われている。
【００１３】
前記太陽電池パネル２は枠７に収められ、この枠７の外周にはＪ字形断面のフランジ８が設けられている。各太陽電池パネル２は、前記取付け用架台１の上底面９にそれぞれの枠７を互いに隣接させて載置され、２つの隣接するフランジ８が、押さえ金具１０を介してボルト１１とナット１２で取付け用架台１の上底面９に固定されている。押さえ金具１０はＵ字形断面を有し、このＵ字形の各先端部が、Ｊ字形断面のフランジ８に上方から差し込まれている。
【００１４】
図４に示すように、太陽電池パネル２の屋根勾配下側の辺の前記Ｊ字形断面のフランジ８は、屋根勾配下側に隣接する太陽電池パネル２との隙間に張り出し、この隙間に落下する雨水を受ける樋の役割を果たしている。なお、傾斜屋根３の棟方向で隣接する太陽電池パネル２の間の隙間は、図３に示したように、取付け用架台１の上底面９で閉塞されているため、雨水が傾斜屋根３に流れ落ちることはない。
【００１５】
【発明の効果】
以上のように、この発明の太陽電池パネルの屋根取付け用架台および屋根取付け方法は、屋根取付け用架台を、太陽電池パネルの辺長と概ね等しい長さで、長手方向に高さ勾配を有する部材とし、この取付け用架台を、その高さが高い側を屋根勾配の下方に向けて直列に配列して、屋根勾配の上側に配列された取付け用架台の下端と、屋根勾配の下側に配列された取付け用架台の上端との境目で段差を生じさせ、この取付け用架台の列を概ね太陽電池パネルの幅と等しい間隔で複数列形成し、太陽電池パネルを隣り合う列の各取付け用架台に一枚ずつ差し渡して取り付けるようにしたので、屋根勾配に沿って隣接する太陽電池パネル同士の境目に瓦屋根のような段差を形成して、建物との調和を損なうことなく太陽電池パネルを傾斜屋根に取り付けることができる。また、この取付け方法では、太陽電池パネル枠の外周に設けられたＪ字形断面の取付けフランジを、屋根勾配下側に隣接する太陽電池パネルとの隙間に張り出させ、この隙間から落下する雨水を受けて、雨漏りを防止することができる。
【図面の簡単な説明】
【図１】実施形態の取付け用架台を用いて太陽電池パネルを取り付けた状態を示す外観斜視図
【図２】図１の一部省略縦断面図
【図３】図２のIII −III 線に沿った断面図
【図４】図２の要部拡大断面図
【図５】従来の太陽電池パネル取付け方法を示す分解斜視図
【符号の説明】
１  取付け用架台
２  太陽電池パネル
３  傾斜屋根
４  フランジ
５  ビス
６  コーキング材
７  枠
８  フランジ
９  上底面
１０  押さえ金具
１１  ボルト
１２  ナット
２１  傾斜屋根
２２  瓦
２３  アングル部材
２４  太陽電池パネル
２５  アングル部材
【図１】
0004004145.tif 000002
【図２】
0004004145.tif 000003
【図３】
0004004145.tif 000004
【図４】
0004004145.tif 000005
【図５】
0004004145.tif 000006